(57)【特許請求の範囲】
【請求項１】
ロール状に巻回された感光体材料のコアと、
このコアとの摩擦により回転する巻芯と、
この巻芯の前記感光体材料の送り出し時における回転の方向と逆方向の付勢力を巻芯に作用させる弾性体とを備え、
前記弾性体の付勢力は、前記回転初期には弱く、前記回転終期には強くなるように設定されていることを特徴とする印画紙用マガジン。
【請求項２】
前記弾性体は、
前記巻芯の一端に設けられ、前記回転初期から作用する第１ばね部材と、
前記巻芯の他端に設けられ、前記回転途中から作用する第２ばね部材とからなることを特徴とする請求項１記載の印画紙用マガジン。
【請求項３】
ロール状に巻回された感光体材料のコアを収容するマガジンと、
前記マガジンから引き出される感光体材料の引き出し方向と逆方向の巻き戻し力を前記コアとの摩擦により回転する巻芯に作用させる弾性体を有する巻き戻し機構と、
前記感光体材料を露光部へ搬送し、又は前記感光体材料の先端を前記マガジンに巻き戻す搬送部とを備え、
前記弾性体の巻き戻し力は、始めは強く後になると弱くなるように設定されていることを特徴とする写真焼付処理装置。
【発明の詳細な説明】
【０００１】
【発明の属する技術分野】
本発明は、印画紙（感光体材料）をロール状の形態で収容した印画紙用マガジンおよび印画紙（感光体材料）に画像を焼付けて現像することにより写真を形成する写真焼付処理装置に関するものである。
【０００２】
【従来の技術】
写真焼付処理装置は、ロール紙の形態で印画紙を収容したマガジンから印画紙を引き出し、所定のプリントサイズとなるように一定量単位で切断すると共に、各印画紙を露光部や現像部等の処理部に搬送しながら画像の焼付け処理や現像処理等を施して写真を順次形成する。
【０００３】
ところで、マガジン内から印画紙を引き出すと、この引き出しに伴ってロール紙が回転するため、印画紙の引き出しを停止したときに、ロール紙の慣性力による回転によりマガジン内に紙詰まりの原因となる印画紙の弛みが発生する。従って、従来の写真焼付処理装置は、ロール紙の巻き中心を支持する巻芯部材にネジリコイルばねを組み込み、印画紙の引き出し時にネジリコイルばねに対して巻き戻し方向の付勢力（バックテンション）を発生させることによって、ロール紙を引き出し時とは逆方向に回転させて印画紙の巻き取りを行うことにより弛みを解消している。
【０００４】
【発明が解決しようとする課題】
しかしながら、上記従来のように、ネジリコイルばねの付勢力（バックテンション）でロール紙を逆回転させて弛みを解消する構成では、ロール紙を逆回転させる動作と印画紙を引き出す動作とが完全に独立して行われるため、連続処理のサイクルタイムを短くすると、ロール紙を逆回転させながら印画紙を巻き取っている最中に印画紙の引き出し動作が開始されるという事態が生じる。そして、この場合には、印画紙の巻き取り方向に対して引き出し方向が逆になるため、印画紙を引き出すための駆動機構に大きな負荷がかかり、例えば駆動モータの脱調や印画紙の滑り等による搬送不良が起こり易くなるという問題が発生する。さらに、印画紙に対して大きな張力が付与されるため、印画紙が傷み易くなるという問題も発生する。
【０００５】
従って、本発明は、印画紙の巻き取り時に印画紙の引出し動作を開始することになっても、上記の各問題が発生しないように、駆動機構の負荷や印画紙の張力の増大を抑制したものにすることができる印画紙用マガジン及び写真焼付処理装置を提供するものである。
【０００６】
【課題を解決するための手段】
上記課題を解決するために、請求項１の発明は、印画紙用マガジンが、ロール状に巻回された感光体材料のコアと、このコアとの摩擦により回転する巻芯と、この巻芯の前記感光体材料の送り出し時における回転の方向と逆方向の付勢力を巻芯に作用させる弾性体とを備え、前記弾性体の付勢力は、前記回転初期には弱く、前記回転終期には強くなるように設定されていることを特徴としている。
上記の構成によれば、巻き戻し力が最初は強く、後になると弱くなるため、感光体材料を間欠的に引き出すときに、引出し側に大きな負担が掛からなくなる。
【０００７】
請求項２の発明は、請求項１記載の印画紙用マガジンであって、前記弾性体は、前記巻芯の一端に設けられ、前記回転初期から作用する第１ばね部材と、前記巻芯の他端に設けられ、前記回転途中から作用する第２ばね部材とからなることを特徴としている。
上記の構成によれば、簡単な構造により付勢力を強弱２段に変えることができる。
【０００８】
請求項３の発明は、写真焼付処理装置が、ロール状に巻回された感光体材料のコアを収容するマガジンと、前記マガジンから引き出される感光体材料の引き出し方向と逆方向の巻き戻し力を前記コアとの摩擦により回転する巻芯に作用させる弾性体を有する巻き戻し機構と、前記感光体材料を露光部へ搬送し、又は前記感光体材料の先端を前記マガジンに巻き戻す搬送部とを備え、前記弾性体の巻き戻し力は、始めは強く後になると弱くなるように設定されていることを特徴としている。
上記の構成によれば、巻き戻し力が最初は強く、後になると弱くなるため、感光体材料を間欠的に引き出すときに、搬送部に大きな負担が掛からなくなる。
【０００９】
【発明の実施の形態】
本発明の実施の形態を図１ないし図１１に基づいて以下に説明する。
本実施の形態に係る写真焼付処理装置は、図２に示すように、感光体材料である印画紙にネガフィルムの画像を拡大投影して露光する露光ユニット１と、露光された印画紙を現像処理する現像ユニット２と、現像処理された印画紙を乾燥させる乾燥ユニット３とを備えている。
【００１０】
上記の露光ユニット１は、図３に示すように、印画紙４を所定のサイズに切断して露光位置まで搬送する露光搬送系５と、露光位置の印画紙４に画像を露光する露光系６とを有している。露光搬送系５は、マガジン装填機構７と印画紙搬送ローラ８と紙検出センサ９とカッタ１０と露光台１１とプリンタ１２と振り分け装置１３とを印画紙４の搬送経路の上流側からこの順に有している。搬送経路の最も上流側に位置するマガジン装填機構７は、所定の保持姿勢でマガジン１４を着脱可能に保持している。マガジン１４は、保持姿勢時に上面となる側面壁の一端部に給紙口１５ａが開口された収容体１５と、収容体１５の中心部に設けられ、印画紙４をロール状に巻回したロール紙４’を支持する巻芯部材１６とを有している。
【００１１】
上記の巻芯部材１６は、図１に示すように、印画紙４の巻き中心口４ａに貫挿される巻芯ロール１８を有している。巻芯ロール１８は、印画紙４の巻き中心口４ａの開口径よりも僅かに小さなロール径に設定されている。また、中心部の表面全周には、ローレット加工等による滑り止め面１８ａが形成されており、滑り止め面１８ａは、印画紙４が巻芯ロール１８に対して容易に回転しないように、巻き中心口４ａの内周面との間で大きな静止摩擦力を発生させている。
【００１２】
上記の巻芯ロール１８の両端面には、回転軸１８ｂ・１８ｂが回転中心に軸芯を一致させて設けられている。また、巻芯ロール１８の両側には、回転軸１８ｂを回転自在に支持する蓋部材１９・１９が設けられている。各蓋部材１９は、巻芯ロール１８の周縁部に遊嵌された円筒形状の蓋部１９ａと、図３の収容体１５の側面壁に嵌合された嵌合固定部１９ｂとを一体的に有している。嵌合固定部１９ｂは、収容体１５に対して蓋部材１９を回転させないように８角形状に形成されており、隣接する頂部間から露出した蓋部１９ａを収容体１５の壁面に当接させることによって、収容体１５に対して蓋部材１９を巻芯ロール１８の軸芯方向に位置決めしている。
【００１３】
また、各蓋部材１９の中心部には、貫通穴１９ｃが形成されている。貫通穴１９ｃには、巻芯ロール１８の回転軸１８ｂが回転自在に貫挿されている。回転軸１８ｂの端部には、係合溝１８ｄが周方向の全体に形成されており、この係合溝１８ｄには、回転軸１８ｂを蓋部材１９から脱落させないように、係合部材２０が摺動自在に係合されている。
【００１４】
上記の蓋部材１９は、巻芯ロール１８の両端面とで左右一対の空間部を形成している。空間部を形成する巻芯ロール１８の両端面および各蓋部材１９の内面には、内側係合部１８ｃおよび外側係合部１９ｄがそれぞれ形成されている。両係合部１８ｃ・１９ｄは、回転軸１８ｂの軸芯から半径方向の同一位置に形成されており、図５に示すように、巻芯ロール１８が所定角度を回転したときに、互いに当接することにより蓋部材１９に対して巻芯ロール１８の回転を禁止する。
【００１５】
また、図１に示すように、一方の空間部には、第１ねじり力で形成されたネジリコイルばねからなる第１ばね部材２１が収容されている。他方の空間部には、第１ねじり力よりも大きな第２ねじり力で形成されたネジリコイルばねからなる第２ばね部材２２が収容されている。そして、一方の空間部に収容された第１ばね部材２１は、図６に示すように、バックテンション無しの初期位置ＴＯで両端部が内側係合部１８ｃと外側係合部１９ｄとに係合するように形成されており、初期位置ＴＯから巻芯部材１６が回りきった回転禁止位置ＴＥ（バックテンション最大の位置）までの第１範囲Ａにおいて巻芯ロール１８に対して巻き取り方向に第１ねじり力による弱い付勢力（バックテンション）を発生する。尚、巻芯部材１６が回りきった回転禁止位置ＴＥとは、係合部１８ｃ・１９ｄ同士が当接して停止する位置のことである。また、巻き取り方向は、巻き戻し方向と同方向である。
【００１６】
また、他方の空間部に収容された第２ばね部材２２は、巻芯ロール１８が初期位置Ｔ０から所定角度を回動して中間位置ＴＣに到達したときに、両端部が内側係合部１８ｃと外側係合部１９ｄとに係合するように形成されており、中間位置ＴＣから回転禁止位置ＴＥまでの第２範囲Ｂにおいて巻芯ロール１８に対して巻き取り方向に第２ねじり力による強い付勢力（バックテンション）を発生する。そして、これらの第１および第２ばね部材２１・２２は、巻芯ロール１８が印画紙４の引き出しにより第２範囲Ｂの例えば回転禁止位置ＴＥまで回転していれば、両ばね部材２１・２２の大きな付勢力により巻芯ロール１８を逆回転させて急速に印画紙４を巻き取り、中間位置ＴＣまで逆回転したときに、第１ばね部材２１の小さな付勢力により逆回転する巻芯ロール１８の回転速度を徐々に低下させながら緩やかに印画紙４を巻き取るように作用する。
【００１７】
さらに、図４に示すように、上記の巻芯部材１６を備えたマガジン１４は、印画紙４の引き出しおよび巻き戻しを行うマガジン内ローラ１７を給紙口１５ａの近傍に備えている。マガジン内ローラ１７は、マガジン１４から印画紙４を引き出したり巻き戻すための引出し巻戻し機構の一部を構成しており、駆動ローラ１７ａと、駆動ローラ１７ａに印画紙４を介して圧接された圧接ローラ１７ｂとからなっている。両ローラ１７ａ・１７ｂは、印画紙搬送ローラ８との間で印画紙４に大きな張力を生じさせないようにワンウェイクラッチを備えていると共に、両端部が収容体１５に回転自在に軸支されている。また、駆動ローラ１７ａの一端部は、収容体１５の側面壁を貫設された後、従動ギヤ２３の回転中心に連結されている。
【００１８】
上記の従動ギヤ２３は、マガジン１４が図３の処理装置本体３０に装填されたときに、第１アイドルギヤ２４ａに噛合されるように配置されている。第１アイドルギヤ２４ａは、第２アイドルギヤ２４ｂを介して駆動ギヤ２５に噛合されており、これらのギヤ２４ａ・２４ｂ・２５は、マガジン１４を収容する処理装置本体３０側の引出し巻戻し機構を構成している。上記の駆動ギヤ２５の回転中心には、印画紙搬送ローラ８の回転軸８ａが固設されている。また、印画紙搬送ローラ８の回転軸８ａは、ローラ側プーリ２６の回転中心に固設されており、ローラ側プーリ２６は、ベルト２７およびモータ側プーリ２８を介してローラ駆動モータ２９に連結されている。ローラ駆動モータ２９は、パルス信号の入力状態により回転角度や回転速度、回転方向を任意に変更可能なパルスモータ等からなっており、モータ側プーリ２８やベルト２７等を介して印画紙搬送ローラ８およびマガジン内ローラ１７を任意の回転速度で正方向および逆方向に切替え可能に回転させる。
【００１９】
上記の印画紙搬送ローラ８は、収容体１５の給紙口１５ａの上方に配置されており、ロール面には、２本の圧接ローラ３１・３１が圧接されている。そして、これらの圧接ローラ３１・３１と印画紙搬送ローラ８との間には、印画紙４が給紙口１５ａから上方向に引き上げられて送り込まれるようになっており、印画紙搬送ローラ８は、両圧接ローラ３１・３１による大きな圧接力でもって印画紙４をロール面に沿って湾曲させながら水平方向に搬送可能になっている。
【００２０】
また、図３に示すように、印画紙搬送ローラ８による搬送方向の下流側（印画紙搬送ローラ８の図中右側）には、紙検出センサ９が配置されている。紙検出センサ９は、赤外線等の光を出射する発光器９ａと、光を受光する受光器９ｂとを印画紙４の搬送経路の上方位置および下方位置にそれぞれ配置している。そして、紙検出センサ９は、発光器９ａおよび受光器９ｂ間を印画紙４が通過し、この印画紙４により光が遮断されたときに、紙検出信号を出力するようになっている。
【００２１】
上記の紙検出センサ９の下流側には、印画紙４を幅方向に切断するカッタ１０が配置されている。カッタ１０の下流側（図中右側）には、露光台１１が配置されている。露光台１１は、切断された印画紙４を吸着するベルト部材１１ａと、ベルト部材１１ａが露光位置を水平方向に通過するように、ベルト部材１１ａを３点支持する３本のベルトローラ１１ｂとを有しており、印画紙４をベルト部材１１ａで吸着しながらカッタ１０側から露光位置を介してプリンタ１２側へ搬送する。この露光台１１の下流側には、プリンタ１２および振り分け装置１３がこの順に配置されており、プリンタ１２は、露光後の印画紙４の裏面に文字や図形等を印字する。また、振り分け装置１３は、印画紙４を紙面に垂直な方向に配列された複数の紙搬送路に振り分けると共に現像ユニット２に搬送するように構成されている。
【００２２】
また、露光台１１の上方には、露光系６が配置されている。露光系６は、処理装置本体３０の上面に設けられたランプユニット４１と、ランプユニット４１の下方に設けられた引き伸ばしレンズユニット４２とを有している。これらのユニット４１・４２間には、ネガキャリア装置４３が配設されており、ネガキャリア装置４３は、ランプユニット４１から引き伸ばしレンズユニット４２への光路中にフィルムを位置させるように搬送する。
【００２３】
上記のランプユニット４１は、筐体４１ａ内に設けられた露光ランプと、露光ランプから出射された光を所定のタイミングで筐体４１ａから反射管４１ｂに放出させるシャッタ機構と、反射管４１ｂ内に設けられ、シャッタ機構から放出された光を引き伸ばしレンズユニット４２方向に曲折する反射ミラーとを有している。そして、引き伸ばしレンズユニット４２は、フィルムを介して入力された光の色成分（イエロー、マゼンタ、シアン）を検出する色検出センサと、露光位置の印画紙４に対して所定のサイズで露光するように光を拡大投影する引き伸ばしレンズ４４とを有している。
【００２４】
上記の露光系６の一方側（図中左側）には、図２にも示すように、モニターディスプレイ４５と、各種の命令キーや操作スイッチ等を備えた操作パネル４６とが処理装置本体３０の上面に設けられている。一方、露光系６の他方側（図中右側）には、図３に示すように、現像ユニット２が処理装置本体３０内に設けられていると共に、写真載置機構４７が処理装置本体３０の上面に設けられている。現像ユニット２は、上述のように露光搬送系５で露光された印画紙４が搬入されるようになっており、現像処理槽５１と漂白定着処理槽５２と安定化処理槽５３と、これら各処理槽５１〜５３の処理液に印画紙４を一定速度で搬送しながら浸漬させる印画紙搬送機構５４とを有している。
【００２５】
上記の現像ユニット２の下流側（図中右側）には、乾燥ユニット３が配置されている。乾燥ユニット３は、印画紙４に温風を吹き付けて乾燥させるブロア５５と、印画紙４を上方に送り出して排出口５７から機外に排出する排出機構５６とを有している。そして、乾燥ユニット３の排出先には、上述の写真載置機構４７が設けられており、写真載置機構４７は、排出口５７から排出された印画紙４を載置しながら積み上げ位置に搬送する第１載置ベルト５８と、積み上げ位置に一端が位置するように配置され、１オーダー分の単位で印画紙４（写真）を載置するように順送り可能な第２載置ベルト５９とを有している。
【００２６】
上記のように構成された写真焼付処理装置は、図７に示すように、制御装置６１により各部の動作が制御されている。制御装置６１は、演算処理を行うＣＰＵ６２と、読み出し専用メモリであるＲＯＭ６３と、各種のデータを一時記憶するＲＡＭ６４と、駆動信号を出力する駆動信号出力部６５と、検出信号や操作信号等の入力信号を情報処理に適した信号形態に変換して取り込む信号入力部６６と、モニターディスプレイ４５に対して適正な画面表示を行うように制御するＣＲＴＣ６７等とを信号バス６８を介して接続した構成にされている。
【００２７】
上記の駆動信号出力部６５は、図４のローラ駆動モータ２９を作動させてマガジン内ローラ１７と印画紙搬送ローラ８とを回転させる紙搬送ローラ駆動部７０や、図３のカッタ１０に切断動作を行わせるカッタ駆動部７１、露光台１１における印画紙４の露光位置への搬送および位置決めを行うベルトローラ駆動部７２、印画紙搬送機構５４を作動させることにより現像ユニット２内において印画紙４を一定の搬送速度で搬送させる搬送機構駆動部７３、ランプユニット４１の露光ランプを点灯させる露光ランプ発光部７４、ランプユニット４１のシャッタ機構を作動させるシャッタ駆動部７５、ネガキャリア装置４３を作動させてフィルムを搬送させるネガキャリアローラ駆動部７６、引き伸ばしレンズ４４を作動させて引き伸ば量を調整するレンズ駆動部７７、写真載置機構４７を作動させる載置ベルト駆動部７８等に接続されている。
【００２８】
また、信号入力部６６は、操作パネル４６や紙検出センサ９、色検出センサ７９等に接続されている。また、ＲＡＭ６４には、プリント条件等の各種のプリント情報データを記憶するプリント情報データ領域６４ａやモニターディスプレイ４５に対する画面表示データを記憶するビデオラム領域６４ｂ等が形成されている。さらに、ＲＯＭ６３には、プリント情報入力ルーチンや印画紙引出しルーチン、露光処理ルーチン等の各種の処理ルーチンが格納されており、これらの処理ルーチンは、例えばマルチタスク制御により所定時間毎に切り替えられながらＣＰＵ６２により順に繰り返して実行されるようになっている。尚、各処理ルーチンは、マルチタスク制御で順に実行される代わりに、複数のＣＰＵによりそれぞれ実行されるようになっていても良い。
【００２９】
上記の構成において、写真焼付処理装置の動作を説明する。
写真焼付処理装置に電源が投入されると、ＣＰＵ６２は、ＲＯＭ６３に格納された各処理ルーチンを順に繰り返して実行する。そして、例えば図８に示すように、印画紙引出しルーチンを実行したときには、オペレータによる操作パネル４６の操作によってプリント開始信号が入力されたか否かを判定し（Ｓ１）、入力されていなければ（Ｓ１，ＮＯ）、本ルーチンを終了する。一方、プリント開始信号が入力されていれば（Ｓ１，ＹＥＳ）、ＲＡＭ６４のプリント情報データ領域６４ａから処理速度やプリント条件、プリントサイズ等のプリント情報を読み出す（Ｓ２）。
【００３０】
次に、駆動信号出力部６５から紙搬送ローラ駆動部７０に対して長周期のパルス信号を出力することによって、図４に示すように、ローラ駆動モータ２９を低速で回転させる。そして、ローラ側プーリ２６やアイドルギヤ２４ａ・２４ｂ等を介して印画紙搬送ローラ８とマガジン内ローラ１７とを低速で回転させる。この際、プリント開始当初においては、マガジン１４内に印画紙４の先端が引き込まれており、マガジン内ローラ１７のみが印画紙４を挟持している。従って、印画紙４がマガジン１４から上方に引き出されて印画紙搬送ローラ８と圧接ローラ３１とに挟持されるまでは、マガジン内ローラ１７のみの搬送力で印画紙４の引き出しが行われる。この結果、マガジン内ローラ１７に引き出し時の全負荷がかかることになるが、マガジン内ローラ１７が低速で回転しながら印画紙４を引き出すため、全負荷が小さなものになっている。これにより、たとえマガジン内ローラ１７の取り付け構造が小さな剛性や強度からなっていても、早期に弛みや破損等の不具合を生じることはない。
【００３１】
上記のようにして印画紙４がマガジン１４から上方に引き出されることによって、印画紙４の先端が印画紙搬送ローラ８に到達すると、印画紙４は、印画紙搬送ローラ８と２本の圧接ローラ３１とで挟持されると共に、印画紙搬送ローラ８のローラ面に沿って湾曲されながら水平方向に搬送される。従って、印画紙４が印画紙搬送ローラ８のローラ面に大きな圧接力で面状に当接することにより殆ど滑りを生じることなく搬送されるため、印画紙搬送ローラ８による搬送が開始された後は、印画紙搬送ローラ８による印画紙４の搬送が主となり、マガジン内ローラ１７による印画紙４の搬送は従となる。尚、印画紙搬送ローラ８が殆ど滑りを生じることなく印画紙４を搬送するため、印画紙搬送ローラ８による印画紙４の搬送速度が、マガジン内ローラ１７による搬送速度よりも大きな速度になるが、マガジン内ローラ１７に備えられたワンウェイクラッチが作用することによって、速度差による過大な張力が印画紙４に生じることはない（Ｓ３）。
【００３２】
上記のようにしてマガジン内ローラ１７および印画紙搬送ローラ８により印画紙４を引き出すと、次に、紙検出センサ９が印画紙４を検出したか否かを判定する（Ｓ４）。印画紙４を検出していなければ（Ｓ４，ＮＯ）、Ｓ３を再実行し、印画紙４を低速でマガジン１４から引き出す動作を継続する。一方、印画紙４を検出した場合には（Ｓ４，ＹＥＳ）、印画紙４を低速で搬送し、カッタ１０による切断位置から印画紙４の先端までの長さがプリント情報に基づいたプリントサイズとなる第１距離を搬送したときに停止する（Ｓ５）。この後、印画紙４を停止し、カッタ１０により切断することによって、プリントサイズに切断された１枚の印画紙４を得る（Ｓ６）。
【００３３】
この後、切断フラグを立ち上げることによって（Ｓ７）、印画紙４の切断を露光処理ルーチンに報知し、切断後の印画紙４を露光処理ルーチンによる露光処理に引き渡す。即ち、露光処理ルーチンにおいては、図３に示すように、印画紙４がプリントサイズに切断されると、この印画紙４を露光台１１により露光位置まで搬送する。また、ネガキャリア装置４３を駆動し、フィルムに形成された画像部を反射管４１ｂの下方に位置させる。そして、先ず、フィルムの画像を露光して引き伸ばしレンズユニット４２に導入し、色検出センサ７９で色成分を検出することによって、露光時における各色の割合や露光時間等の露光条件を求める。この後、引き伸ばしレンズ４４を作動させて画像を所定の大きさに引き伸ばしながら、露光条件に基づいた露光処理を印画紙４に行う。印画紙４に画像を露光すると、印画紙４を搬送し、印画紙４の裏面に日付等をプリンタ１２により印字した後、現像ユニット２において現像処理や漂白定着処理、安定化処理を行う。そして、乾燥ユニット３において印画紙４を乾燥させた後、写真載置機構４７の第１載置ベルト５８に排出し、１オーダー分の単位で印画紙４（写真）を第２載置ベルト５９に積み上げて保管する。
【００３４】
一方、印画紙引出しルーチンにおいては、印画紙４を切断して切断フラグを立ち上げた後（Ｓ７）、例えば１オーダー分等の全プリントを終了したか否かを判定する（Ｓ８）。全プリントを終了していなければ（Ｓ８，ＮＯ）、印画紙搬送ローラ８を高速回転させることによって、印画紙４を高速で搬送し、カッタ１０による切断位置から印画紙４の先端までの長さがプリント情報に基づいたプリントサイズとなる第２距離を搬送したときに停止する（Ｓ９）。そして、Ｓ６から再実行し、次の印画紙４をプリントサイズに切り出して現像処理を行う。
【００３５】
ところで、上記のように印画紙搬送ローラ８を高速回転させると、図４のアイドルギヤ２４ａ・２４ｂ等を介して連結されたマガジン内ローラ１７も高速回転することになる。この際、上述のように、印画紙４が印画紙搬送ローラ８のローラ面に大きな圧接力で面状に当接し、殆ど滑りを生じることなく印画紙搬送ローラ８により搬送されるため、印画紙搬送ローラ８による印画紙４の搬送が主となり、マガジン内ローラ１７による印画紙４の搬送は従となる。さらに、ワンウェイクラッチを備えたマガジン内ローラ１７は、印画紙搬送ローラ８による搬送速度との速度差により空回りした状態になっている。これにより、マガジン内ローラ１７が高速回転することになっても、印画紙４の搬送による負荷がマガジン内ローラ１７に殆ど生じないため、マガジン内ローラ１７が早期に弛みや破損等の不具合を生じることはない。
【００３６】
また、図９（ａ）に示すように、印画紙４をマガジン１４から引き出しながら搬送すると、この引き出しに伴ってロール紙４’が回転する。この際、図１に示すように、ロール紙４’の巻き中心口４ａには、巻芯部材１６の巻芯ロール１８が貫挿されており、巻芯ロール１８は、滑り止め面１８ａを巻き中心口４ａの内壁面に当接させることにより比較的に大きな静止摩擦力でもって印画紙４を支持している。
【００３７】
これにより、ロール紙４’が回転すると、先ず、巻芯ロール１８が印画紙４と共に回転し、図６のバックテンション無しの初期位置ＴＯにおいて、第１ばね部材２１の両端部が内側係合部１８ｃと外側係合部１９ｄとに係合することによって、第１ばね部材２１に対する捻じり動作が開始される。そして、巻芯ロール１８が図６の中間位置ＴＣまで回転すると、第２ばね部材２２の両端部が内側係合部１８ｃと外側係合部１９ｄとに係合することによって、第２ばね部材２２に対する捻じり動作が開始される。この後、巻芯ロール１８がさらに図６の回転禁止位置ＴＥまで回転すると、内側係合部１８ｃと外側係合部１９ｄとが当接して巻芯ロール１８の回転が禁止されることによって、ロール紙４’のみが巻芯ロール１８を滑りながら回転することになる。
【００３８】
このようにしてロール紙４’を回転させながら印画紙４をマガジン１４から引き出しているときに、Ｓ５やＳ９において印画紙４の搬送を停止すると、図９（ｂ）に示すように、ロール紙４’が慣性力により回転を継続することによって、紙詰まりの原因となる弛みを生じることになる。特に、Ｓ９において印画紙４を高速で搬送していた場合には、ロール紙４’が大きな慣性力でもって長時間に亘って回転を継続するため、大きな弛みが生じることになる。
【００３９】
一方、ロール紙４’を支持する巻芯部材１６は、上述のように巻芯ロール１８が回転禁止位置ＴＥまで回転しきった状態になっているため、第１ばね部材２１の第１ねじり力による小さな巻き取り方向の付勢力（バックテンション）と、第２ばね部材２２の第２ねじり力による大きな巻き取り方向の付勢力（バックテンション）とを発生させている。
【００４０】
従って、慣性力で回転していたロール紙４’が停止すると、図１に示すように、停止直後においては、巻芯部材１６の第１および第２ばね部材２１・２２による大きな付勢力がロール紙４’に作用することによって、ロール紙４’が高速で逆回転（巻き取り方向に回転）し、緩んだ印画紙４を急速に巻き取る。そして、巻芯ロール１８が図６の中間位置ＴＣまで逆回転したときに、第１ばね部材２１による小さな付勢力がロール紙４’に作用することによって、ロール紙４’が速度を低下させながら逆回転し、緩んだ印画紙４を徐々に巻き取る。この結果、巻き取り初期における高速の巻き取りにより速やかに弛みが解消され、巻き取り中期から後期かけての低速の巻き取りにより弛みを解消した後のロールの跳ね返りが防止される。そして、このような２段階の付勢力（バックテンション）による巻き取り動作がＳ５やＳ９において印画紙４の搬送を停止する毎に行われる。
【００４１】
以上のようにして印画紙４をマガジン１４から低速や高速で引き出しながら切断、露光、現像等を行うことによって、１オーダー分等の全プリントを終了すると（Ｓ８，ＹＥＳ）、例えば２分間等の所定の待ち時間が経過したか否かを判定する（Ｓ１０）。待ち時間が経過した場合には（Ｓ１０，ＹＥＳ）、印画紙４がマガジン１４から引き出された状態をこれ以上放置すれば、塵埃等が印画紙４に付着して写真品質を低下させる要因になるため、印画紙搬送ローラ８およびマガジン内ローラ１７を引き出し（搬送）方向とは逆方向に低速で回転させる。そして、図１０に示すように、印画紙４の先端側を強制的に巻き戻し方向に搬送することによって、印画紙４を例えば搬送速度の５０％等の低速の巻き戻し速度でマガジン１４に巻き戻す（Ｓ１１）。
【００４２】
印画紙４の巻き戻しが開始されると、印画紙４の先端側は、印画紙搬送ローラ８やマガジン内ローラ１７により強制的にマガジン１４内に搬送される。一方、巻芯部材１６により巻き取り方向（巻き戻し方向）に付勢されているロール紙４’は、慣性力により巻き戻しの開始時期よりも遅いタイミングで巻き取り方向に回転を始める。従って、マガジン１４内へのロール紙４’の送り込み量がロール紙４’への巻き取り量よりも多くなるため、マガジン１４内に印画紙４の弛みが生じることになるが、この印画紙４の弛みは、上述のように印画紙４が低速で送り込まれるため、高速で送り込まれた場合のように紙詰まり等の不具合を発生する程に過剰なものとはならない。
【００４３】
この後、図３に示すように、紙検出センサ９により印画紙４が検出されているか否かを判定し（Ｓ１２）、検出されていれば（Ｓ１２，ＹＥＳ）、Ｓ１１を再実行して印画紙４の巻き戻しを継続する。そして、印画紙４が検出されなくなったときに（Ｓ１２，ＮＯ）、例えばローラ駆動モータ２９を駆動するパルス信号の出力数を計数することによって、紙検出センサ９による検出位置からマガジン１４内の所定位置までの第３距離を低速の巻き戻し速度で巻き戻し（Ｓ１３）、印画紙４を完全にマガジン１４に収容した状態で本ルーチンを終了する。
【００４４】
一方、全プリントを終了してから待ち時間が経過するまでは（Ｓ１０，ＮＯ）、プリント開始信号が入力されたか否かを判定し（Ｓ１４）、入力されていなければ（Ｓ１４，ＮＯ）、Ｓ１０を再実行して待ち時間の判定を行う。一方、プリント開始信号が入力された場合には（Ｓ１４，ＹＥＳ）、次のオーダー分のプリントを行うように指示されたと判断し、プリント情報を読み出した後（Ｓ１５）、印画紙搬送ローラ８を高速回転させることによって、印画紙４を高速でマガジン１４から引き出しながら搬送し、カッタ１０による切断位置から印画紙４の先端までの長さがプリント情報に基づいたプリントサイズとなるように第２距離を搬送する（Ｓ１６）。そして、Ｓ６から再実行し、印画紙４をプリントサイズに切り出して現像処理を行うと共に、次の印画紙４をプリントサイズに切り出せるように搬送する。
【００４５】
ところで、上述のように、印画紙４の搬送を停止してから所定の期間内においては、印画紙４の弛みを解消するため、巻芯部材１６がロール紙４’を巻き取り方向に回転させている。従って、待ち時間が経過する前にプリントを再開すると、図１１（ａ）・（ｂ）に示すように、再開する時期によっては印画紙４の巻き取り途中で印画紙４の引き出しが行われるため、印画紙４自体および印画紙４を引き出す印画紙搬送ローラ８を駆動するローラ駆動モータ２９に通常の引き出し時よりも大きな負荷がかかることになる。
【００４６】
この際、図６に示すように、巻き取り途中の中間位置ＴＣから巻き取りを終了する初期位置ＴＯまでの範囲（期間）においては、図１に示すように、第１ばね部材２１による弱い付勢力のみがロール紙４’に作用することによって、ロール紙４’が速度を低下させながら弛んだ印画紙４を徐々に巻き取っている。従って、この期間中に引き出し動作が開始された場合には、印画紙４自体やローラ駆動モータ２９に通常の引き出し時よりも大きな負荷がかかることになっても、この負荷の増大が最小限に抑制されたものになる。
【００４７】
以上のように、本実施形態のマガジン１４（印画紙用マガジン）は、印画紙４（感光体材料）をロール状に巻回されたロール紙４’の巻き中心口４ａ（コア）と、この巻き中心口４ａの内壁面との摩擦により回転する巻芯ロール１８（巻芯）と、この巻芯ロール１８の印画紙４の送り出し（引き出し）時における回転の方向と逆方向の付勢力（バックテンション）を巻芯ロール１８に作用させる第１および第２ばね部材２１・２２（弾性体）とを備え、これらばね部材２１・２２の付勢力は、回転初期には弱く、回転終期には強くなるように設定された構成にされている。
【００４８】
上記の構成によれば、巻き取り方向の付勢力によるロール紙４’による巻き戻し力が最初は強く、後になると弱くなるため、処理能力を高めるように印画紙４を間欠的に引き出すときに、引出し側となる印画紙搬送ローラ８やマガジン内ローラ１７に大きな負担が掛からないものとなる。
【００４９】
また、本実施形態において、第１ばね部材２１は、巻芯ロール１８の一端に設けられ、印画紙４の引き出し時における回転初期から作用する一方、第２ばね部材２２は、巻芯ロール１８の他端に設けられ、印画紙４の引き出し時おける回転途中から作用するように構成されている。これにより、簡単な構造により、付勢力を強弱２段に変えることが可能になっている。尚、本実施形態においては、第１ばね部材２１と第２ばね部材２２とで強弱２段に付勢力を可変する弾性体を構成しているが、これに限定されるものではなく、単一のばね部材で付勢力を可変するように構成されたものであっても良い。
【００５０】
また、本実施形態における写真焼付処理装置は、ロール状に巻回された印画紙４の巻き中心口４ａを収容するマガジン１４と、マガジン１４から引き出される印画紙４の引き出し方向と逆方向の巻き戻し力を巻き中心口４ａとの摩擦により回転する巻芯ロール１８に作用させる第１および第２ばね部材２１・２２を有する巻芯部材１６（巻き戻し機構）と、印画紙４を露光台１１（露光部）へ搬送し、又は印画紙４の先端をマガジン１４に巻き戻す印画紙搬送ローラ８およびマガジン内ローラ１７（搬送部）とを備え、第１および第２ばね部材２１・２２の巻き戻し力が始めは強く後になると弱くなるように設定された構成にされている。そして、この構成により印画紙搬送ローラ８およびマガジン内ローラ１７への負担の増大が抑制されている。
【００５１】
【発明の効果】
請求項１の発明は、印画紙用マガジンが、ロール状に巻回された感光体材料のコアと、このコアとの摩擦により回転する巻芯と、この巻芯の前記感光体材料の送り出し時における回転の方向と逆方向の付勢力を巻芯に作用させる弾性体とを備え、前記弾性体の付勢力は、前記回転初期には弱く、前記回転終期には強くなるように設定されている構成である。
上記の構成によれば、巻き戻し力が最初は強く、後になると弱くなるため、感光体材料を間欠的に引き出すときに、引出し側に大きな負担が掛からなくなるという効果を奏する。
【００５２】
請求項２の発明は、請求項１記載の印画紙用マガジンであって、前記弾性体は、前記巻芯の一端に設けられ、前記回転初期から作用する第１ばね部材と、前記巻芯の他端に設けられ、前記回転途中から作用する第２ばね部材とからなる構成である。
上記の構成によれば、簡単な構造により付勢力を強弱２段に変えることができるという効果を奏する。
【００５３】
請求項３の発明は、写真焼付処理装置が、ロール状に巻回された感光体材料のコアを収容するマガジンと、前記マガジンから引き出される感光体材料の引き出し方向と逆方向の巻き戻し力を前記コアとの摩擦により回転する巻芯に作用させる弾性体を有する巻き戻し機構と、前記感光体材料を露光部へ搬送し、又は前記感光体材料の先端を前記マガジンに巻き戻す搬送部とを備え、前記弾性体の巻き戻し力は、始めは強く後になると弱くなるように設定されている構成である。
上記の構成によれば、巻き戻し力が最初は強く、後になると弱くなるため、感光体材料を間欠的に引き出すときに、搬送部に大きな負担が掛からなくなるという効果を奏する。
【図面の簡単な説明】
【図１】巻芯部材の分解斜視図である。
【図２】写真焼付処理装置の斜視図である。
【図３】写真焼付処理装置の内部構造の概略構成図である。
【図４】マガジンから印画紙を引き出しながら搬送する状態を示す説明図である。
【図５】巻芯部材の一部を破断して示す要部斜視図である。
【図６】ばね部材によるバックテンションの発生タイミングを示す説明図である。
【図７】制御装置のブロック図である。
【図８】印画紙引出しルーチンのフローチャートである。
【図９】マガジン内の印画紙の状態を示す説明図であり、（ａ）は搬送中の状態、（ｂ）は搬送を停止したときの状態である。
【図１０】印画紙を巻き戻すときの印画紙の状態を示す説明図である。
【図１１】印画紙をマガジンから引き出すときの説明図であり、（ａ）は巻き取り途中で引き出す状態、（ｂ）はロール紙の慣性力が作用した状態である。
【符号の説明】
１  露光ユニット
２  現像ユニット
３  乾燥ユニット
４  印画紙
４’  ロール紙
５  露光搬送系
６  露光系
７  マガジン装填機構
８  印画紙搬送ローラ
９  紙検出センサ
１０  カッタ
１１  露光台
１２  プリンタ
１３  振り分け装置
１４  マガジン
１５  収容体
１６  巻芯部材
１７  マガジン内ローラ
１８  巻芯ロール
１９  蓋部材
２０  係止部材
２１  第１ばね部材
２２  第２ばね部材
２３  従動ギヤ
２５  駆動ギヤ
２６  ローラ側プーリ
２９  ローラ駆動モータ
３１  圧接ローラ
４１  ランプユニット
４２  引き伸ばしレンズユニット
４３  ネガキャリア装置
４４  引き伸ばしレンズ
４５  モニターディスプレイ
４６  操作パネル
４７  写真載置機構
６１  制御装置
６２  ＣＰＵ
【図１】
0004045702.tif 000002
【図２】
0004045702.tif 000003
【図３】
0004045702.tif 000004
【図４】
0004045702.tif 000005
【図５】
0004045702.tif 000006
【図６】
0004045702.tif 000007
【図７】
0004045702.tif 000008
【図８】
0004045702.tif 000009
【図９】
0004045702.tif 000010
【図１０】
0004045702.tif 000011
【図１１】
0004045702.tif 000012